(57)【要約】【課題】イメージを参照して入力を行うのに好適な入力補助方法を提供する。【解決手段】コンピュータに登録すべき複数の情報群を表すイメージ画像が表示されるイメージ表示エリアと、単一の情報群に対応する入力データが入力される入力フィールドとが設けられた入力画面において、オペレータによる入力を補助する方法であって、オペレータにより指定された所定の情報群であって前記入力フィールドへの入力のためにオペレータが参照すべき所定の情報群を前記イメージ表示エリアに識別表示し、該識別表示された所定の情報群についての入力が終了したとき、前記所定の情報群に引き続いて参照すべき他の情報群を当該所定の情報群に替えて前記イメージ表示エリアに識別表示する。【選択図】　　　　図１
2004078529.tif 000002
【特許請求の範囲】
【請求項１】
コンピュータに登録すべき複数の情報群を表すイメージ画像が表示されるイメージ表示エリアと、該エリアに表示されたイメージ画像を参照して単一の情報群に対応する入力データが入力される入力フィールドとが設けられた入力画面において、オペレータによる前記入力フィールドへの入力を補助する方法であって、
前記複数の情報群の中からオペレータにより指定された所定の情報群であって前記入力フィールドへの入力のためにオペレータが参照すべき所定の情報群を前記イメージ表示エリアに識別表示し、該識別表示された所定の情報群についての入力が終了したとき、前記所定の情報群に引き続いて参照すべき他の情報群を当該所定の情報群に替えて前記イメージ表示エリアに識別表示することを特徴とする入力補助方法。
【請求項２】
所定の間隔を置いて連続的に設けられた複数の罫の間に記録された複数の情報群を表すイメージ画像が表示されるイメージ表示エリアと、前記表示されたイメージ画像を参照して単一の前記情報群に対応する入力データが入力される入力フィールドとが設けられた入力画面を表示するコンピュータにおいて、オペレータによる当該入力フィールドへの入力を補助する方法であって、
前記イメージ画像に表された所定の情報群に対応する所定の一対の罫に沿って表示され且つ当該所定の一対の罫と体様が異なる一対の補助罫をオペレータの指示に基づき前記イメージ表示エリアに表示し、前記所定の情報群の入力が終了したとき、前記表示された一対の補助罫を消去すると共に、当該一対の補助罫と同一の体様をなす新たな一対の補助罫を、前記所定の情報群と異なる他の情報群に対応する一対の罫に沿って表示することを特徴とする入力補助方法。
【請求項３】
前記イメージ画像は、前記書面の全体を表すイメージデータのうちの前記所定の一対の罫に隣接して前記表示エリアに表示されている所定の複数の罫に対応した第１のデータ部分と、該第１のデータ部分と共に前記表示エリアに表示可能なデータ部分となる第２のデータ部分に基づき前記イメージ表示エリアに表示され、
前記新たな一対の補助罫に対応する前記他の一対の罫が前記イメージ表示エリアに表示されているか否かを判定し、当該他の一対の罫が当該エリアに表示されていないと判定された場合、前記イメージデータのうちの前記他の一対の罫を含むデータ部分を前記第２のデータ部分として設定する請求項２記載の入力補助方法。
【請求項４】
前記イメージ画像は、予め取得したイメージデータに基づき前記イメージ表示エリアに表示され、
前記一対の補助罫を表示するに先立って、前記イメージデータから前記複数の罫を検出し、該検出した複数の罫のそれぞれに沿って当該各罫と体様が異なる罫を候補罫として前記イメージ表示エリアに表示し、前記各候補罫の中から一対の候補罫が選択されたとき、当該一対の候補罫の表示位置に、前記一対の補助罫を表示する請求項２記載の入力補助方法。
【請求項５】
前記イメージ画像の前記複数の罫のそれぞれは、前記入力画面の水平方向に伸長した罫である請求項２記載の入力補助方法。
【請求項６】
所定の間隔を置いて連続的に設けられた複数の罫の間に複数の情報群が記録された書面を表すイメージデータに基づきイメージ画像が表示されるイメージ表示エリアと、前記表示されたイメージ画像を参照して前記書面の単一の前記情報群に対応する入力データが入力される入力フィールドとが設けられた入力画面を表示するコンピュータにおいて、オペレータによる当該入力フィールドへの入力を補助する方法であって、
前記イメージ表示エリアの表示寸法と、前記イメージデータが示す前記書面の寸法との比率を算出する第１のステップと、
前記イメージ画像に表された所定の情報群に対応した所定の一対の罫に沿って表示され且つ当該所定の一対の罫と体様が異なる一対の補助罫をオペレータの指示に基づき前記イメージ表示エリアに表示し、前記イメージ表示エリアにおける当該一対の補助罫の表示位置と、前記第１のステップで算出した比率とに基づいて、前記イメージデータにおける前記一対の補助罫の座標を換算する第２のステップと、
前記第２のステップで換算した前記座標に基づいて、前記イメージデータにおける前記一対の補助罫の間の座標距離を算出する第３のステップと、
前記一対の補助罫の各補助罫について、前記第３のステップで算出した前記座標距離を置いた座標であって前記第２のステップで換算した前記座標から相互に同一の方向にある座標を算出する第４のステップと、
前記第４のステップで算出した前記座標を新たな座標とし、該新たな座標と前記第１のステップで算出した前記比率とに基づいて、前記イメージ表示エリアにおける当該新たな座標の表示位置を換算する第５のステップと、
前記所定の情報群についての入力データの入力が終了したとき、前記第２のステップで表示された一対の補助罫に替わり、当該一対の補助罫と同一の体様をなす新たな一対の補助罫を前記第５のステップで換算した前記表示位置に表示する第６のステップを備えることを特徴とする入力補助方法。
【請求項７】
所定の間隔を置いて連続的に設けられた複数の罫の間に記録された複数の情報群を表すイメージ画像が表示されるイメージ表示エリアと、前記表示されたイメージ画像を参照して前記各情報群に対応する入力データが順次的に入力される複数の入力フィールドとが設けられた入力画面を表示するコンピュータにおいて、当該入力フィールドへの入力を補助する方法であって、
前記複数の入力フィールドのうちの所定の入力フィールドへの入力が終了する毎に、前記イメージ表示エリアに表示されているイメージ画像のイメージデータ部分に替わり、該データ部分と異なるイメージデータ部分であって前記所定の入力フィールドに引き続いて情報が入力される他の入力フィールドに対応したイメージデータ部分を選定し、該データ部分に基づき新たなイメージ画像を当該表示エリアに表示することを特徴とする入力補助方法。
【請求項８】
コンピュータに登録すべき複数の情報群を表すイメージ画像が表示されるイメージ表示エリアと、該エリアに表示されたイメージ画像を参照して単一の情報群に対応する入力データが入力される入力フィールドとが設けられた入力画面において、オペレータによる前記入力フィールドへの入力を補助すべく前記コンピュータを制御するプログラムであって、
前記複数の情報群の中からオペレータにより指定された所定の情報群であって前記入力フィールドへの入力のためにオペレータが参照すべき所定の情報群を前記イメージ表示エリアに識別表示し、該識別表示された所定の情報群についての入力が終了したとき、前記所定の情報群に引き続いて参照すべき他の情報群を当該所定の情報群に替えて前記イメージ表示エリアに識別表示することを特徴とする入力補助プログラム。
【請求項９】
複数の情報群を表すイメージ画像が表示されるイメージ表示エリア、および、該エリアに表示されたイメージ画像を参照して単一の情報群に対応する入力データが入力される入力フィールドが設けられた入力画面を表示するディスプレイと、該ディスプレイに前記入力画面を表示するための制御を行う制御部とを備えるコンピュータ端末装置であって、
前記制御部は、前記複数の情報群の中からオペレータにより指定された所定の情報群であって前記入力フィールドへの入力のためにオペレータが参照すべき所定の情報群を前記イメージ表示エリアに識別表示し、該識別表示された所定の情報群についての入力が終了したとき、前記所定の情報群に引き続いて参照すべき他の情報群を当該所定の情報群に替えて前記イメージ表示エリアに識別表示することを特徴とするコンピュータ端末装置。
【発明の詳細な説明】
【０００１】
【発明の属する技術分野】
本発明は、コンピュータへの登録を要する書面のデータ入力を行う際の入力補助方法に関し、特に、入力画面に表示された前記書面のイメージ画像を参照しながらデータ入力を行うオペレータに対し、当該画面上でデータ入力を補助する方法に関する。
【０００２】
【従来の技術】
従来、手続依頼書や帳票等に記載された情報をコンピュータへ登録するにあたり、ディスプレイの入力画面には、入力対象となる書面のイメージ画像と共に、当該書面の情報が入力される入力フィールドが表示される。データ入力を行うオペレータは、表示されたイメージ画像を参照しながら、その情報を入力フィールドに入力する。
【０００３】
【発明が解決しようとする課題】
しかしながら、イメージ画像に表される書面が、例えば同一の体様をなす罫が等間隔で罫引されている一覧表のようなものである場合、いずれの行も同様な体様を示すことから、オペレータは、画像上で参照すべき行を素早く見つけ出すことは困難であった。特に、参照すべき行が順次的に移行する場合、オペレータは、いったんイメージ画像から目を離すと、どの行まで入力を済ませたのかが不明瞭になることがある。その場合、入力の履歴を確認する等の付加的な作業によりデータ入力が中断されることから、データ入力の作業効率が高まらないという問題があった。
【０００４】
本発明は、前記した課題に鑑みてなされたものであり、イメージ画像を参照しながらデータ入力を行うオペレータが、入力作業を円滑に進めることができる入力補助方法、入力補助プログラムおよびコンピュータ端末装置を提供することにある。
【０００５】
【課題を解決するための手段】
本発明は、以上の点を解決するために、次の構成を採用する。
〈構成１〉
本発明に係る入力補助方法は、コンピュータに登録すべき複数の情報群を表すイメージ画像が表示されるイメージ表示エリアと、該エリアに表示されたイメージ画像を参照して単一の情報群に対応する入力データが入力される入力フィールドとが設けられた入力画面において、オペレータによる前記入力フィールドへの入力を補助する方法であって、前記複数の情報群の中からオペレータにより指定された所定の情報群であって前記入力フィールドへの入力のためにオペレータが参照すべき所定の情報群を前記イメージ表示エリアに識別表示し、該識別表示された所定の情報群についての入力が終了したとき、前記所定の情報群に引き続いて参照すべき他の情報群を当該所定の情報群に替えて前記イメージ表示エリアに識別表示する。
【０００６】
〈構成２〉
本発明に係る入力補助方法は、所定の間隔を置いて連続的に設けられた複数の罫の間に記録された複数の情報群を表すイメージ画像が表示されるイメージ表示エリアと、前記表示されたイメージ画像を参照して単一の前記情報群に対応する入力データが入力される入力フィールドとが設けられた入力画面を表示するコンピュータにおいて、オペレータによる当該入力フィールドへの入力を補助する方法であって、前記イメージ画像に表された所定の情報群に対応する所定の一対の罫に沿って表示され且つ当該所定の一対の罫と体様が異なる一対の補助罫をオペレータの指示に基づき前記イメージ表示エリアに表示し、前記所定の情報群の入力が終了したとき、前記表示された一対の補助罫を消去すると共に、当該一対の補助罫と同一の体様をなす新たな一対の補助罫を、前記所定の情報群と異なる他の情報群に対応する一対の罫に沿って表示する。
【０００７】
前記イメージ画像は、前記書面の全体を表すイメージデータのうちの前記所定の一対の罫に隣接して前記表示エリアに表示されている所定の複数の罫に対応した第１のデータ部分と、該第１のデータ部分と共に前記表示エリアに表示可能なデータ部分となる第２のデータ部分に基づき前記イメージ表示エリアに表示することができる。その場合、前記新たな一対の補助罫に対応する前記他の一対の罫が前記イメージ表示エリアに表示されているか否かを判定し、当該他の一対の罫が当該エリアに表示されていないと判定された場合、前記イメージデータのうちの前記他の一対の罫を含むデータ部分を前記第２のデータ部分として設定することができる。
【０００８】
また、前記イメージ画像は、予め取得したイメージデータに基づき前記イメージ表示エリアに表示され、前記一対の補助罫を表示するに先立って、前記イメージデータから前記複数の罫を検出し、該検出した複数の罫のそれぞれに沿って当該各罫と体様が異なる罫を候補罫として前記イメージ表示エリアに表示し、前記各候補罫の中から一対の候補罫が選択されたとき、当該一対の候補罫の表示位置に、前記一対の補助罫を表示することができる。
【０００９】
前記イメージ画像の前記複数の罫のそれぞれを、前記入力画面の水平方向に伸長した罫とすることができる。
【００１０】
〈構成３〉
本発明に係る入力補助方法は、所定の間隔を置いて連続的に設けられた複数の罫の間に複数の情報群が記録された書面を表すイメージデータに基づきイメージ画像が表示されるイメージ表示エリアと、前記表示されたイメージ画像を参照して前記書面の単一の前記情報群に対応する入力データが入力される入力フィールドとが設けられた入力画面を表示するコンピュータにおいて、オペレータによる当該入力フィールドへの入力を補助する方法であって、前記イメージ表示エリアの表示寸法と、前記イメージデータが示す前記書面の寸法との比率を算出する第１のステップと、前記イメージ画像に表された所定の情報群に対応した所定の一対の罫に沿って表示され且つ当該所定の一対の罫と体様が異なる一対の補助罫をオペレータの指示に基づき前記イメージ表示エリアに表示し、前記イメージ表示エリアにおける当該一対の補助罫の表示位置と、前記第１のステップで算出した比率とに基づいて、前記イメージデータにおける前記一対の補助罫の座標を換算する第２のステップと、前記第２のステップで換算した前記座標に基づいて、前記イメージデータにおける前記一対の補助罫の間の座標距離を算出する第３のステップと、前記一対の補助罫の各補助罫について、前記第３のステップで算出した前記座標距離を置いた座標であって前記第２のステップで換算した前記座標から相互に同一の方向にある座標を算出する第４のステップと、前記第４のステップで算出した前記座標を新たな座標とし、該新たな座標と前記第１のステップで算出した前記比率とに基づいて、前記イメージ表示エリアにおける当該新たな座標の表示位置を換算する第５のステップと、前記所定の情報群についての入力データの入力が終了したとき、前記第２のステップで表示された一対の補助罫に替わり、当該一対の補助罫と同一の体様をなす新たな一対の補助罫を前記第５のステップで換算した前記表示位置に表示する第６のステップを備える。
【００１１】
〈構成４〉
本発明に係る入力補助方法は、所定の間隔を置いて連続的に設けられた複数の罫の間に記録された複数の情報群を表すイメージ画像が表示されるイメージ表示エリアと、前記表示されたイメージ画像を参照して前記各情報群に対応する入力データが順次的に入力される複数の入力フィールドとが設けられた入力画面を表示するコンピュータにおいて、当該入力フィールドへの入力を補助する方法であって、前記複数の入力フィールドのうちの所定の入力フィールドへの入力が終了する毎に、前記イメージ表示エリアに表示されているイメージ画像のイメージデータ部分に替わり、該データ部分と異なるイメージデータ部分であって前記所定の入力フィールドに引き続いて入力される他の入力フィールドに対応したイメージデータ部分を選定し、該データ部分に基づき新たなイメージ画像を当該表示エリアに表示する。
【００１２】
〈構成５〉
本発明に係る入力補助プログラムは、コンピュータに登録すべき複数の情報群を表すイメージ画像が表示されるイメージ表示エリアと、該エリアに表示されたイメージ画像を参照して単一の情報群に対応する入力データが入力される入力フィールドとが設けられた入力画面において、オペレータによる前記入力フィールドへの入力を補助すべく前記コンピュータを制御するプログラムであって、前記複数の情報群の中からオペレータにより指定された所定の情報群であって前記入力フィールドへの入力のためにオペレータが参照すべき所定の情報群を前記イメージ表示エリアに識別表示し、該識別表示された所定の情報群についての入力が終了したとき、前記所定の情報群に引き続いて参照すべき他の情報群を当該所定の情報群に替えて前記イメージ表示エリアに識別表示する。
【００１３】
〈構成６〉
本発明に係るコンピュータ端末装置は、複数の情報群を表すイメージ画像が表示されるイメージ表示エリア、および、該エリアに表示されたイメージ画像を参照して単一の情報群に対応する入力データが入力される入力フィールドが設けられた入力画面を表示するディスプレイと、該ディスプレイに前記入力画面を表示するための制御を行う制御部とを備えるコンピュータ端末装置であって、前記制御部は、前記複数の情報群の中からオペレータにより指定された所定の情報群であって前記入力フィールドへの入力のためにオペレータが参照すべき所定の情報群を前記イメージ表示エリアに識別表示し、該識別表示された所定の情報群についての入力が終了したとき、前記所定の情報群に引き続いて参照すべき他の情報群を当該所定の情報群に替えて前記イメージ表示エリアに識別表示する。
【００１４】
【発明の実施の形態】
以下、本発明の実施の形態を具体例を用いて説明する。
〈具体例１〉
図１は、本発明に係る入力補助方法の具体例１を適用された入力画面の構成図である。具体例１の入力画面１０１は、コンピュータにデータ入力を行うオペレータに向けて、当該コンピュータのディスプレイに表示され、図１に示すように、入力画面１０１は、コンピュータに登録すべき複数の情報群が記録された書面のイメージ画像１０が表示されるイメージ表示エリア１１と、該エリアのイメージ画像１０を参照して情報群毎のデータが入力される複数の入力フィールド１２（１２ａ〜１２ｆ）とを備える。イメージ画像１０は、あらかじめ前記書面からイメージスキャナにより取得しコンピュータのメモリに保持されているイメージデータに基づき表示され、イメージデータには、書面についての座標の情報が含まれる。
【００１５】
図示の例のイメージ画像１０には、顧客の振込状況の一覧が記録された書面が表されており、この書面は、入力画面１０１の水平方向に罫引された複数の罫ａ〜ｆで構成される各行Ａ〜Ｅに、顧客毎の情報群が記録されている。また、図１では、イメージ画像１０の罫ａおよび罫ｂに沿って、後述する一対の補助罫１３ａおよび１３ｂが表示されている。
【００１６】
前記イメージ表示エリア１１の下方に設けられた入力フィールド１２は、図示の例では、イメージ画像が表す書面のすべての項目に対応しており、当該入力フィールド１２には、前記書面の１行分の情報が入力される。詳しくは、顧客の氏名および整理番号が入力される氏名フィールド１２ａおよび番号フィールド１２ｂ、金融機関の店番が入力される店番フィールド１２ｃ、顧客の口座科目および口座番号が入力される科目フィールド１２ｄおよび口座番号フィールド１２ｅ、そして当月の振込金額が入力される振込金額フィールド１２ｆが設けられている。
【００１７】
前記した各フィールド１２ａ〜１２ｆの入力が終了したとき、例えばキーボード上の所定の操作により、入力終了の旨がコンピュータに通知されると共に、各フィールドに表示されていた入力情報が自動的にクリアされる。オペレータは、引き続きデータ入力を行うべく、次行のデータ入力を開始するが、本具体例では、図１に示す行Ａ、Ｂ、Ｃ、Ｄ、Ｅの順に入力が行われる。
【００１８】
本発明に係る入力補助方法の手順を図２に示すフローチャートに沿って説明する。
オペレータによるデータ入力のために、コンピュータのディスプレイに入力画面１０１が表示されたとき、コンピュータの制御部は、イメージ表示エリア１１で表示可能な表示サイズと、イメージデータで表される書面のサイズとの比率を算出する（ステップＳ１）。
【００１９】
オペレータは、データ入力を開始するに先立って、入力すべき最初のデータに対応する行Ａを構成する罫ａおよび罫ｂを、マウスあるいはキーボード等により指定し、これらの各罫に図１に示すような補助罫１３ａおよび１３ｂを表示するようコンピュータに指示する。この指示を例えばマウスで行う場合、イメージ画像１０上に表示されたポインタを、罫ａあるいは罫ｂに沿って移動させる。この指示により、コンピュータは、補助罫１３ａおよび１３ｂを、当該指示に対応したイメージ表示エリア１１の表示位置に表示する（ステップＳ２）。
【００２０】
補助罫１３ａおよび１３ｂとして、図１に示す例では、各罫ａ〜ｆよりも太い一重線が用いられている。これらの補助罫１３ａおよび１３ｂは、図示の例に限らず、他の体様をなす線を採用することができ、例えば波線あるいは鎖線等のように、各罫ａ〜ｆと異なる体様をなし且つ当該各罫に沿ってその体様を明示することができる線であることが望ましい。
【００２１】
イメージ画像１０に補助罫１３ａおよび１３ｂが表示されると、当該補助罫に関し前記ステップＳ２で指示された表示位置と、前記ステップＳ１で算出した比率とに基づいて、当該補助罫についてのイメージデータ上での座標を換算する（ステップＳ３）。この換算には、次の（１）式を用いる。
（補助罫の表示位置）ｘ（表示エリアサイズおよびイメージデータサイズ間の比率）　・・・（１）
【００２２】
行Ａについてのデータ入力が終了するに先立って、前記ステップＳ３で換算した座標に基づき、次行となる行Ｂを構成する罫ｂおよび罫ｃについて、イメージデータにおける座標を算出する（ステップＳ４）。罫ｂについては、前記ステップＳ３で換算した座標を用い、他方の罫ｃについては、次の（２）式を用いる。
（罫ｂの座標）＋（（罫ｂの座標）−（罫ａの座標））　・・・（２）
【００２３】
なお、前記（２）式は、罫ｂを共通の罫として行Ａと相互に隣接する行Ｂについての罫の座標を算出する場合に有効であり、例えば、行Ａから少なくとも１行の間隔がある行Ｃ以降の行については、（２）式に、行Ａからの行数を乗算することにより、各座標を算出することができる。例えば行Ｃの場合、この行は行Ａから２行目に位置することから、（２）式に「２」を乗じる。
【００２４】
前記ステップＳ４で罫ｂおよび罫ｃの座標が算出されると、当該座標と前記ステップＳ１で算出した比率とに基づいて、罫ｂおよび罫ｃについてのイメージ表示エリア１１での表示位置を換算する（ステップＳ５）。この換算には、次の（３）式を用いる。
（罫ｂ（ｃ）のイメージデータ上の座標）÷（表示エリアサイズおよびイメージデータサイズ間の比率）　・・・（３）
【００２５】
オペレータが行Ａについてのデータ入力を終了し、その旨がコンピュータに通知されたとき、行Ａに対応した補助罫１３ａおよび１３ｂを消去すると共に、これらの補助罫と同様な一対の補助罫を、罫ｂおよび罫ｃについて前記ステップＳ５で換算した表示位置に表示する（ステップＳ６）。
【００２６】
図３は、ステップＳ６が実行されたときの入力画面１０１の状態を示す。
図３に示すように、行Ａについての入力が終了し、引き続いて、下段の行Ｂについての入力を開始するに先立って、補助罫１３ａおよび１３ｂの表示が行Ａから行Ｂに自動的に移行する。
【００２７】
具体例１の入力補助方法によれば、各罫ａ〜ｆと異なる体様をなし且つ当該各罫に沿ってその体様が明示される補助罫１３ａおよび１３ｂが、イメージ画像１０におけるデータ入力に対応した行に沿って表示されることから、イメージ画像１０上での行の差別化が図られ、その結果、データ入力に対応した行が何れの行であるかを、オペレータに案内することができる。
【００２８】
しかも、オペレータが参照すべき行の移行に応じて、補助罫１３ａおよび１３ｂの表示が自動的に移行することから、オペレータは、作業を中断して、イメージ画像１０上で参照すべき行を探す必要はなく、データ入力を円滑に行うことができる。
【００２９】
〈具体例２〉
図４は、本発明に係る入力補助方法の具体例２を適用された入力画面の構成図であり、図５は、予めイメージスキャナから取得した書面のイメージデータの一部である。図４に示す入力画面１０２において、イメージ画像１０の上方に示される１〜３行目までの行は、書面の一覧表のタイトルが記載されたタイトル行１０ａである。
【００３０】
前記した具体例１でイメージ表示エリア１１に表示されたイメージ画像１０は、タイトル行１０ａおよび行Ａ〜Ｅを示すものであったが、実際の書面を表すイメージデータにおいては、図５に示すように、データ入力に関連する行として行Ｅ以降の行Ｆおよび行Ｇ等が存在する。
【００３１】
本具体例では、イメージ表示エリア１１に、行Ｅ以降の行を参照可能に表示すると共に、データ入力時の利便性を考慮して、タイトル行１０ａを固定的に表示する例を示す。
【００３２】
具体例３の入力補助方法の手順を図６に示すフローチャートに沿って説明する。
本具体例において、イメージ表示エリア１１およびイメージデータ間のサイズ比率を算出してから、補助罫１３ａおよび１３ｂの座標を換算するステップＳ１１〜Ｓ１３までの手順は、前記具体例１におけるステップＳ１〜Ｓ３と同様であり、説明を省略する。
【００３３】
ステップＳ１３で補助罫１３ａおよび１３ｂの座標が換算されると、一方の補助罫１３ａの換算座標を、タイトル行１０ａの下限の座標として記録する（ステップＳ１４）。すなわち、記録された前記座標よりも上方にある行は、タイトル行１０ａに該当する行と見なされる。
【００３４】
その後、各行のデータ入力を行う毎に、前記具体例１で説明したステップＳ４およびステップＳ５の手順と同様な手順で、次行についてのイメージデータ上の座標を算出し（ステップＳ１５）、算出した座標に基づいて次行のイメージ表示エリア１１上の表示位置を換算する（ステップＳ１６）。
【００３５】
さらに、ステップＳ１６で換算した表示位置が、イメージ表示エリア１１に表示されているイメージ画像１０上にあるか否か、すなわち前記換算位置がイメージ表示エリア１１内に収まるか否かを判定し（ステップＳ１７）、イメージ表示エリア１１内に収まる場合は、データ入力に対応する行の入力が終了したとき、ステップＳ１６で換算した前記位置に補助罫１３ａおよび１３ｂを表示する（ステップＳ１８）。
【００３６】
また、前記換算位置がイメージ表示エリア１１内から外れる場合、イメージデータから、タイトル行１０ａ′を含めて当該エリア１１に表示可能なデータ部分を選択する（ステップＳ１９）。例えば、図５に示すイメージデータにおいて、イメージ画像１０のためにタイトル行１０ａ′を含む行Ａ〜ＥのＩ群が採用され、引き続いて、行Ｆを参照可能なイメージ画像１０を表示する場合は、前記Ｉ群に替えて、行Ｂ〜ＦのＩＩ群のデータ部分を選択する。
【００３７】
ステップＳ１９で前記データ部分が選択された後、コンピュータは、データ入力に対応する行の入力が終了したとの通知を受けたとき、前記データ部分に基づいてイメージ表示エリア１１に新たなイメージ画像１０を表示すると共に、前記ステップＳ１５で算出した座標に基づいて補助罫１３ａおよび１３ｂを表示する（ステップＳ２０）。例えば、Ｉ群のデータに基づき表示された図１に示すイメージ画像１０において、データ入力が行Ｅから行Ｆへ移行するとき、図４に示すように、タイトル行１０ａの下方には、Ｉ群に替わりＩＩ群のデータが表示され、さらに、参照すべき行Ｆに対応する罫ｆおよびｇに沿って、補助罫１３ａおよび１３ｂが表示される。従って、行Ｆを参照可能なイメージ画像１０には、行Ａは含まれず、イメージ表示エリア１１を参照するオペレータにとっては、タイトル行１０ａより下方の部分が、１行分、上方にスクロールされたように見える。
【００３８】
前記ステップＳ２０あるいはステップＳ１８で、該当する行に補助罫１３ａおよび１３ｂを表示した後、データ入力すべき行が引き続き存在する場合、その行について、前記ステップＳ１５以降の手順を実行する（ステップＳ２１）。また、引き続く行が存在しない場合は、書面に関する全てのデータ入力が終了したと見なされ、これにより一連の処理が終了する。
【００３９】
具体例２の入力補助方法によれば、前記具体例１における方法と同様な効果を得ることができ、さらに、たとえ参照すべき行がイメージ表示エリア１１から外れる位置にあっても、当該行のデータ入力に先立って、イメージ画像１０が自動的にスクロールされると共に、補助罫１３ａおよび１３ｂにより明示された前記行が表示されることから、オペレータは、作業を中断することなく引き続きデータ入力を行うことができる。しかも、イメージ画像１０がスクロールされても、タイトル行１０ａは固定的に表示されることから、引き続きタイトルの参照も可能となる。
【００４０】
〈具体例３〉
図７は、本発明に係る入力補助方法の具体例３を適用された入力画面の構成図である。具体例３の入力画面１０３におけるイメージ画像１０には、該画像に表されている水平方向の各罫に沿って、後述する破線状の候補罫１４が表示されている。
【００４１】
前記した具体例１および２では、データ入力の開始に先立って、補助罫１３ａおよび１３ｂを表示すべき位置に沿ったマウス操作等が行われたが、本具体例では、複数の候補罫１４を用いて、前記補助罫１３ａおよび１３ｂを表示すべき位置が選択される。
【００４２】
図４に示すような候補罫１４には、従来よく知られた罫線認識技術を利用することができる。この罫線認識技術は、伝票の書面のように複数の罫が設けられた書面のイメージデータから、該データに示される直線の特徴を抽出するものである。この種の技術を用いて、例えば、あらかじめ伝票に関する複数の特徴を登録しておき、これらの各特徴と、検査対象となる伝票から抽出する特徴とを照合し、当該検査対象の伝票の特徴を特定することができる。
【００４３】
本具体例では、前記した罫線認識技術を利用して、書面のイメージデータから当該書面の水平方向に罫引されている罫、すなわち行を構成する罫を抽出し、抽出した罫に沿って候補罫１４を表示する。候補罫１４の体様は、補助罫１３ａおよび１３ｂのそれらと同様であってもよいが、書面の各罫と異なる体様であり且つ当該各罫に沿ってその体様を明示することができるものであることが望ましい。
【００４４】
オペレータは、データ入力を開始するに先立って、イメージ画像１０上に表示された図７に示すような複数の候補罫１４から、最初にデータ入力を行うべき行に対応した一対の罫を、マウスのクリック等により選択し、これをコンピュータに指示する。コンピュータは、前記指示を受けると、候補罫１４に替えて補助罫１３ａおよび１３ｂを、例えば図１に示す例のように表示する。
【００４５】
具体例３の入力補助方法によれば、オペレータのデータ入力の開始に先立って、イメージ画像１０上に候補罫１４が表示されることから、たとえ複雑な書面のイメージ画像１０であっても、オペレータは、候補罫１４の案内により、水平方向の罫を認識することが容易となり、最初の行に対応した一対の罫を見つけやすくなる。
【００４６】
〈具体例４〉
図８は、本発明に係る入力補助方法の具体例４を適用された入力画面の構成図である。本具体例のイメージデータは、図５で説明したデータに「繰越金額」および「摘要」の情報が付加されたものであり、入力画面１０４における入力フィールド１２には、図８に示すように、前記各具体例と同様な氏名フィールド１２ａ〜振込金額フィールド１２ｆに加えて、繰越金額フィールド１２ｇおよび摘要フィールド１２ｈが設けられている。
【００４７】
具体例４の入力画面１０４におけるイメージ表示エリア１１は、図１に示す具体例１のそれと同様に、当該画面の水平方向に、例えば「氏名」から「振込金額」までの項目を一括的に表示することができるが、このとき、「振込金額」から当該画面に向かって右に表示されるべき「繰越金額」および「摘要」の項目は、イメージ表示エリア１１のサイズの都合により表示されない。
本具体例では、入力画面１０４に一括的に表示されない前記したような項目を参照可能に表示すべく、次の手順を採用する。
【００４８】
最初のデータ入力に参照する行を行Ａとした場合、入力の当初は、イメージ表示エリア１１に図１に示すようなイメージ画像１０が表示されている。その後、行Ａについて、振込金額フィールド１２ｆまでの入力が終了したとき、オペレータは、当該表示エリア１１に表示されていない「繰越金額」および「摘要」の項目を参照すべく、スクロールバーの操作によりイメージ画像１０を右方向にスクロールさせる。
【００４９】
このときコンピュータは、入力フィールド１２の何れのフィールドの入力が終了したときに前記スクロールが行われたかを記録する。図示の例では、振込金額フィールド１２ｆの入力が終了したときにスクロールされたことが記録される。
【００５０】
その後、行Ａについての入力が終了し、引き続いて行Ｂについてのデータ入力が行われるが、この行Ｂにおいて、予め登録された振込金額フィールド１２ｆの入力が終了したとき、コンピュータは、オペレータの操作を介することなく、イメージ画像１０を右方向に自動的にスクロールさせる。
【００５１】
これにより、図８に示すように、行Ｂの「繰越金額」および「摘要」の項目が参照可能に表示される。以降、行Ｂに引き続いて参照される行についても、振込金額フィールド１２ｆの入力終了毎に、自動的にイメージ画像１０がスクロールされる。
【００５２】
具体例４の入力補助方法によれば、イメージ表示エリア１１のサイズの都合により、当該エリアに表示されないイメージ画像１０部分があっても、所定の入力フィールド１２の入力が終了する毎に、その部分を参照可能にすべくイメージ画像１０が自動的にスクロールされることから、オペレータは、効率的に作業を進めることができる。
【００５３】
前記各具体例では、画面の水平方向に伸びる各行ごとにデータ入力が行われる例が示されたが、これに替えて、垂直に伸びる各列ごとの情報を入力する書面に本発明を適用することができ、その場合、参照すべき列が移行する都度、補助罫を水平方向に移動させるように設定する。
【００５４】
前記各具体例では、データ入力の際に参照すべき行を明示するための手段として、補助罫１３ａおよび１３ｂが用いられたが、当該手段はこれに限らず、例えば、行を取り囲む四角枠あるいは行全体を覆う網掛け等、各行の行間すなわち行を構成する一対の罫の間隔をコンピュータで認識可能とするものを適宜採用することができる。
【００５５】
また、参照すべき情報群を明示すべく、イメージ画像で当該情報群に対応する画像部分の近傍に、矢印あるいは記号等を表示するようにすることもできる。
【００５６】
【発明の効果】
本発明に係る入力補助方法、入力補助プログラムおよび端末装置によれば、イメージ画像から入力データに対応した情報群を参照する際に、当該入力データに対応した情報群が明示されることから、入力に対応した情報群をオペレータに案内することができる。従って、オペレータは、画面上の前記案内により、参照すべき行を自ら探索する必要はなく、データ入力を円滑に進めることができる。
【図面の簡単な説明】
【図１】本発明に係る入力補助方法の具体例１を適用された入力画面の構成図である。
【図２】具体例１の入力補助方法の手順を示すフローチャートである。
【図３】具体例１の入力画面を説明するための説明図である。
【図４】本発明に係る入力補助方法の具体例２を適用された入力画面の構成図である。
【図５】具体例のイメージデータの構成図である。
【図６】具体例２の入力補助方法の手順を示すフローチャートである。
【図７】本発明に係る入力補助方法の具体例３を適用された入力画面の構成図である。
【図８】本発明に係る入力補助方法の具体例４を適用された入力画面の構成図である。
【符号の説明】
１０１〜１０４　入力画面
１０　イメージ画像
１１　イメージ表示エリア
１２　入力フィールド
１３ａ、１３ｂ　補助罫
１４　候補罫
【図１】
2004078529.tif 000003
【図２】
2004078529.tif 000004
【図３】
2004078529.tif 000005
【図４】
2004078529.tif 000006
【図５】
2004078529.tif 000007
【図６】
2004078529.tif 000008
【図７】
2004078529.tif 000009
【図８】
2004078529.tif 000010